(57)【特許請求の範囲】
【請求項１】
濁槽の懸濁液中に半分以上浸漬して回転濾過ドラムが設けられ、該回転濾過ドラムは、外側表面に軸方向に延長しワイヤークロスとパンチングプレートによって被覆され各々１つづつの排出を有する複数の小室を持つとともに、前記回転濾過ドラムと一緒に回転するセンタードラムを有し、該センタードラムには順次スパイラル状に配列されてサクションパイプが設けられて前記各小室を通り入った濾液が前記サクションパイプにより前記センタードラムに噴出するようになされ、前記センタードラムの中を通って固定のセンターパイプが配置され、このセンターパイプにはドクターが取り付けられて、前記センタードラムに集められた濾液が前記ドクターに水封されて圧縮空気部分と分けられ、前記センタードラムの片方又は両方の濾液が排水される所にシールボックスが設けられて濾液がシールされ、回転に伴って前記各サクションパイプに浸入する濾液によって押し出された空気が前記ドクターに導かれて吹き出しに使用され前記サクションパイプを経て前記各小室に分散して前記回転濾過ドラムの外側表面に附着した繊維マットを内部より浮き上げさせて剥離するようにしたことを特徴とするセンターバルブレスサクションフイルター。
【請求項２】
サクションパイプを通りセンタードラムに入る濾液をセンターパイプに取り付けたドクターの下部と水平に付けたバーの間に穴又は窓を設けて、濾液がセンターパイプに流出するようにし、センターパイプの片側又は両側からの濾液の流出量をコントロール可能な状態で行えるようにしたセンターパイプ吸引装置を備えたことを特徴とする請求項１記載のセンターバルブレスサクションフイルター。
【発明の詳細な説明】
本発明は懸濁液、特に紙パルプの繊維質懸濁液用の濁槽と回転濾過ドラムが懸濁液中に半バ以上浸漬され且外側表面はワイヤークロスとパンチングプレートによって被服され内側には軸方向に延長した小室を持ちこれら小室が各々１つづつの排出によって一緒に回転するセンタードラムに先細りのサクションパイプとして順次スパイラル状に配列してセンタードラムに噴出するようにしたもので構造は簡単めいりょうなもので集められた濾液はセンタードラムの中を通り固定されているセンターパイプに保持されている先端に合成樹脂性の刃先を持ったドクターで水封され、センタードラムを流れる濾液が片方又は両方より排水される所にシールボックスを設けゲートを経て流出するような構造とし又回転濾過ドラムに付着した繊維マットを内部よりワイヤークロスと小室を通り回転濾過ドラムに入った濾液によって急速に押し出された空気が圧縮されて固定されたセンターパイプに取り付けたドクターに導かれてサクションパイプを経て最短距離を取って各小室に分散して内部より浮き上げさせて剥ぎ取りを容易に行えるように改良したもので、シリンダーの回転数を上げて処理し濾液を中心に集めることで力学的にも駆動馬力を最小にし構造簡単、シリンダー両側を密閉することにより自重より倍近い浮力を生じさせ運転重量も軽くなりサクションレグも不要となります。
構造が簡単なので材料費は安くなり濾水性の高いパルプ繊維から低いもの迄、又入口濃度の変化にも応じ易く又作るにも工夫すれば大型になって４分割を要する時でも建家が１階で済み組立も治工具を整備することにより安くなり、又、サクションパイプが最高位で垂直となり出口濃度も高く入口濃度も高く出来て処理能力も増大します。又出口濃度をそれ程要求されないドラムエキストでも大型になればシートフォーメーションにより排水濃度が低下して構造が簡単なので安価に利用可能となります。
次に本発明の好適な一実施形を例として示す。図面は本発明に依るセンターバルブレスサクションフイルターＡを示し、図面中１はパルプ懸濁液を保持するＳＳ製の濁槽を示し、この濁槽１は導壁２を経てほぼ半円筒形の底３に流入しこの底に結合した側壁４、５とこの側壁４、５に直角をなす半円筒壁６と平旦平行な端壁７とから成る。此の濁槽１内に半分以上浸漬して回転濾過ドラム９が設けられこの回転濾過ドラム９上に繊維マツト１２を形成させ、繊維マツト引出ローラー１３又は類似の装置により、回転濾過ドラム９の斜め上方部分で回転濾過ドラム９の内部よりサクションパイプ１９を経てセンタードラム２０内のドクター２６より導かれた浸入排液の圧縮された空気の助けを借りて繊維マット１２は剥ぎ取られシュート１４に沿って運び出されます。
次に繊維マット１２が剥ぎ取られた状態のワイヤークロス１６は目洗いシャワー１５によってきれいにされる。次に回転濾過ドラム９は急速に濁槽１の懸濁液に侵入し始めると、その回転濾過ドラム９の表面のワイヤークロス１６に繊維マット１２を形成し始め濾液は回転濾過ドラム９の各外周に軸と平行に仕切られた多数の小室１８に設けられている各１ケの開孔部１８ａからなる出口を矩形型シュート付サクションパイプ１９を通すことによって、順々にサクションパイプ１９内で先細りにされ、センタードラム２０に噴出される。逆のコースを通り進入する濾液によって追い出された空気はセンタードラム２０内部に設けられたドクター２６により吹き出しに使用され又浸入した濾液は最低部でセンタードラム２０に流入し始め回転濾過ドラム９表面の繊維マット１２は厚みを増し、回転につれてセンタードラム２０内に浸入した濾液は片側又は両側のセンタードラム２０端の窓２１より排水槽２２を経てシールボックス２３に移動した濾液はゲート２４に堰止めされてシールボックス２３に放出されます。又回転濾過ドラム９の表面には、繊維マット１２が附着しているが、回転濾過ドラム９の小室１８に設けられた各小室１８の唯一１ケ所の開孔部１８ａは順次スパイラル状に配置され回転濾過ドラム９の回転に従い真空度を増し先細りのサクションパイプ１９の先端から回転濾過ドラム９の真上で最高の真空度を生じさせ濾液を急速に淀みなくセンタードラム２０に流入し繊維マット１２の濃度を最高にします。
次にセンタードラム２０に流れ出した濾液は両端で固定されたセンターパイプ２５に取り付けたドクター２６に分けられた圧縮空気部分を除外した残り部分を通ってセンタードラム２０の片側又は両側に設けられた窓２１から排水槽２２を経てシールボックス２３に放出され堰止めされて流下しパイプによって放出されます。又センタードラム２０内でドクター２６をつけたセンターパイプ２５は両端２７、２８で固定されます。又センタードラム２０は両端に設けられたプレーンメタル２９、３０によって支持され又駆動装置３１によって駆動されます。又回転濾過ドラム９と一緒に回転するセンタードラム２０は両側のサイドフレームに各々２つ割りのグランドパッキン３２、３３で水封され、又シールボックス２３をグランドパッキン３４で水封されます。又回転濾過ドラム９は両端で夫々センタードラム２０の直角方向に交叉する不等辺山型鋼で補強された状態でゴムパッキン３５とＳＵＳ製化粧板で密閉され浮力を生じるようになっている。
次にセンターパイプ吸引装置は、サクションパイプ１９を通りセンタードラム２０に入る濾液をセンターパイプ２５に取り付けたドクター２６の下部と水平部分につけられた隔壁３６との間に穴又は窓３７によって濾液がセンターパイプ２５に流出するようにし、センターパイプ２５の片側又は両側に流出する濾液の流出量を制限することで濾水度の変化と入口濃度及び流量の変化に応じられるようにしたものである。
【図面の簡単な説明】
【図１】この発明の実施例の一部欠截正面図である。
【図２】図１のＢ−Ｂ断面図である。
【図３】図１の回転濾過ドラムの概略平面図である。
【図４】（ａ）はサクションパイプの正面図、（ｂ）はサクションパイプの平面図である。
【図５】図１のセンタードラムとセンターパイプの縦断面図である。
【図６】図１のセンタードラム端における窓とゲートとシールボックスの断面図である。
【図７】図１のセンターパイプとドクターの正面図である。
【図８】図１のサクションパイプがとりつけられている状態のセンタードラムの概略断面図である。
【符号の説明】
１，濁槽
２，導壁
３，ほぼ半円筒形の底
４，５，側壁
６，半円筒壁
７，端壁
９，回転濾過ドラム
１２，繊維マット
１３，繊維マツト引出ローラー
１４，シュート
１５，目洗いシャワー
１６，ワイヤークロス
１８，小室
１９，サクションパイプ
２０，センタードラム
２１，センタードラム端の窓
２３，シールボックス
２４，ゲート
２５，センターパイプ
２６，ドクター
２９，３０，プレーンメタル
３１，駆動装置
３２，３３，３４，グランドパッキン
３５，ゴムパッキンと化粧板
３６，隔壁
３７，穴又は窓
【図１】
0003824085.tif 000002
【図２】
0003824085.tif 000003
【図３】
0003824085.tif 000004
【図４】
0003824085.tif 000005
【図５】
0003824085.tif 000006
【図６】
0003824085.tif 000007
【図７】
0003824085.tif 000008
【図８】
0003824085.tif 000009